(57)【要約】【課題】本発明の目的は、インクジェット方式による画像のみを形成する場合に、電子写真方式の画像形成部を記録媒体が通過することによる、記録媒体の劣化及び電子写真方式の画像形成部の劣化を防止するとともに、装置の小型化を実現することである。【解決手段】電子写真方式の第一の画像形成部９９と、インクジェット方式の第二の画像形成部１００と、を有する画像形成装置であって、第一の画像形成部９９によって画像が形成された記録媒体を再び第一の画像形成部９９に搬送するための両面搬送経路１３３，１３２を備え、両面搬送経路１３３，１３２に第二の画像形成部１００を設けるとともに、記録媒体Ｓを、第一の画像形成部９９へ送る第一の搬送パス１２１と、第一の画像形成部９９を通過させずに第二の画像形成部１００を設けた両面搬送経路１３３，１３２へ送る第二の搬送パス１３１とに、切り替える切替部材１０５を設ける。【選択図】    図１
2012203162.tif 000002
【特許請求の範囲】
【請求項１】
記録媒体を一枚ずつ給送する給送手段と、
前記給送手段によって給送された記録媒体に電子写真方式で画像を形成する第一の画像形成部と、
前記給送手段によって給送された記録媒体にインクジェット方式で画像を形成する第二の画像形成部と、
を有する画像形成装置であって、
前記第一の画像形成部によって画像が形成された記録媒体を再び前記第一の画像形成部に搬送するための両面搬送経路を備え、前記両面搬送経路に前記第二の画像形成部を設けるとともに、
前記給送手段によって給送された記録媒体を、前記第一の画像形成部へ送る第一の搬送経路と、前記第一の画像形成部を通過させずに前記第二の画像形成部を設けた前記両面搬送経路へ送る第二の搬送経路とに、切り替える切替機構を設けたことを特徴とする画像形成装置。
【請求項２】
前記第一の画像形成部と、前記第二の画像形成部と、前記切替機構の動作を制御する制御部を有し、
前記制御部は、前記第二の画像形成部で画像形成する時は、前記第一の画像形成部を動作させないよう制御することを特徴とする請求項１に記載の画像形成装置。
【請求項３】
前記第一の画像形成部と、前記第二の画像形成部と、前記切替機構の動作を制御する制御部を有し、
前記制御部は、前記第一の画像形成部で画像形成する時は、前記第二の画像形成部を動作させないよう制御することを特徴とする請求項１又は請求項２に記載の画像形成装置。
【発明の詳細な説明】
【技術分野】
【０００１】
本発明は、電子写真方式の画像形成部とインクジェット方式の画像形成部を有する画像形成装置に関する。
【背景技術】
【０００２】
従来、画像を得るための方法としては、主に電子写真方式（トナー型）による方法と、インクジェット方式（インク型）による方法がある。これら２つの方法（記録方式）には、それぞれに長所がある。電子写真方式は高速化が可能であり、インクジェット方式はインクの色再現性に優れている。このお互いの長所を使い分けて画像形成する装置が提案されている。
【０００３】
例えば特開２００２−３０１８３８では、電子写真方式の画像形成部の後にインクジェット方式の画像形成部を配置することで、お互いの長所を使い分けて画像形成する装置を達成している。
【先行技術文献】
【特許文献】
【０００４】
【特許文献１】特開２００２−３０１８３８号公報
【発明の概要】
【発明が解決しようとする課題】
【０００５】
しかしながら、上記従来の画像形成装置では、記録媒体の搬送経路が、電子写真方式の画像形成部を通過してからインクジェット方式の画像形成部へと通じる経路となっている。そのため、インクジェット方式による画像のみを形成する場合でも、記録媒体は電子写真方式の画像形成部を通過することになる。この場合、インクジェット方式による画像のみを形成する記録媒体でも、電子写真方式の画像形成部を通過するため、記録媒体又は電子写真方式の画像形成部が劣化するおそれがある。
【０００６】
例えば、記録媒体が普通紙とは種類の異なる封筒などの特殊紙の場合、電子写真方式の画像形成部における定着部によってシワなどが生じるおそれがある。また、記録媒体が使用可能なサイズのうち小サイズ紙の場合、電子写真方式の画像形成部における定着部で記録媒体が通過しない部分の昇温などが生じ、劣化するおそれがある。
【０００７】
また、電子写真方式の画像形成部の後にインクジェット方式の画像形成部を配置することで、電子写真方式の画像形成部を有する装置に対してインクジェット方式の画像形成部を有する装置が付け足される形になるため、装置が大型化してしまう。
【０００８】
そこで、本発明の目的は、インクジェット方式による画像のみを形成する場合に、電子写真方式の画像形成部を記録媒体が通過することによる、記録媒体の劣化及び電子写真方式の画像形成部の劣化を防止することである。
【０００９】
また、本発明の他の目的は、電子写真方式の画像形成部とインクジェット方式の画像形成装置を設ける装置の小型化を実現することである。
【課題を解決するための手段】
【００１０】
上記目的を達成するため、本発明は、記録媒体を一枚ずつ給送する給送手段と、前記給送手段によって給送された記録媒体に電子写真方式で画像を形成する第一の画像形成部と、前記給送手段によって給送された記録媒体にインクジェット方式で画像を形成する第二の画像形成部と、を有する画像形成装置であって、前記第一の画像形成部によって画像が形成された記録媒体を再び前記第一の画像形成部に搬送するための両面搬送経路を備え、前記両面搬送経路に前記第二の画像形成部を設けるとともに、前記給送手段によって給送された記録媒体を、前記第一の画像形成部へ送る第一の搬送経路と、前記第一の画像形成部を通過させずに前記第二の画像形成部を設けた前記両面搬送経路へ送る第二の搬送経路とに、切り替える切替機構を設けたことを特徴とする。
【発明の効果】
【００１１】
本発明によれば、記録媒体を、第一の画像形成部へ送る第一の搬送経路、または、第一の画像形成部を通過させずに第二の画像形成部へ送る第二の搬送経路に切り替えて送る。そのため、インクジェット方式による画像のみを形成する場合に、電子写真方式の第一の画像形成部を記録媒体が通過することによる、記録媒体の劣化及び電子写真方式の第一の画像形成部の劣化を防止することができる。
【００１２】
また、画像が形成された記録媒体を再び第一の画像形成部に搬送するための両面搬送経路に第二の画像形成部を設けたため、装置の小型化を実現することができる。
【図面の簡単な説明】
【００１３】
【図１】画像形成装置の模式断面図
【図２】電子写真方式による両面画像形成を表す断面図
【図３】インクジェット方式による片面画像形成を表す断面図
【図４】画像形成を行うフローチャート図
【図５】画像形成を行うブロック図
【発明を実施するための形態】
【００１４】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１５】
〔第１実施形態〕
図１〜図５を用いて、第１実施形態に係る画像形成装置について説明する。本実施形態では、画像形成装置として、電子写真方式及びインクジェット方式を用いたカラー画像形成装置を例示している。
【００１６】
図１は、第１実施形態に係る画像形成装置の概略構成を示す模式断面図である。ここでは、電子写真方式においては、色の異なる４色の画像形成部を中間転写ベルト下に並べて配置した中間転写タンデム方式を採用している。一方、インクジェット方式においては、シート搬送方向に対して直交する方向に設けたライン状の記録部で記録するライン方式を採用している。
【００１７】
＜シートの搬送プロセス＞
記録媒体Ｓは記録媒体収納庫６１，６２に積載される形で収納されており、各給送手段７１，７２により画像形成タイミングに合わせて一枚ずつ給送される。前記給送手段７１，７２により送り出された記録媒体Ｓは、搬送パス１０６を通過して、切替機構を構成する切替部材１０５により、第一の搬送経路である搬送パス１２１か、第二の搬送経路である搬送パス１３１のいずれかに案内される。
【００１８】
第一の搬送経路である搬送パス１２１は、電子写真方式で画像を形成する第一の画像形成部９９へ記録媒体Ｓを送る搬送パスである。第二の搬送経路である搬送パス１３１は、インクジェット方式で画像を形成する第二の画像形成部１００へ記録媒体Ｓを送る搬送パスである。
【００１９】
画像形成装置は、第一の画像形成部９９によって画像が形成された記録媒体Ｓを再び第一の画像形成部９９に搬送するための両面搬送経路１３３，１３２，１１１を備えている。この両面搬送経路１３３，１３２，１１１に第二の画像形成部１００を設けている。第二の搬送経路である搬送パス１３１は、インクジェット方式の画像形成部１００が設けられている両面搬送経路１３３，１３２，１１１へ記録媒体Ｓを送る搬送パスである。
【００２０】
続いて、画像の作像プロセスについて、電子写真方式とインクジェット方式の各々を説明する。
【００２１】
＜電子写真方式による画像の作像プロセス＞
前記切替部材１０５によって第一の画像形成部９９に向けて案内された記録媒体Ｓは、第一の搬送経路である搬送パス１２１を通過してレジストローラ対７３へと搬送される。レジストローラ対７３は記録媒体収納庫６１，６２から搬送されてくる記録媒体Ｓを突き当ててループを作成することにより記録媒体Ｓの先端を倣わせ斜行を修正する機能を有している。また、レジストローラ対７３は、記録媒体Ｓへの画像形成のタイミング、即ち、像担持体上に担持されたトナー像に合わせて、所定のタイミングにて記録媒体Ｓを二次転写部へ搬送する機能を有している。
【００２２】
レジストローラ対７３は、斜行修正を行った後に、所望のタイミングにて二次転写部へ記録媒体Ｓを送り出す。二次転写部は、対向する二次転写内ローラ３２および二次転写外ローラ４１により形成される記録媒体Ｓへのトナー像転写ニップ部であり、所定の加圧力と静電的負荷バイアスを与えることで記録媒体Ｓ上にトナー像を転写させる。
【００２３】
次に、二次転写部までの記録媒体Ｓの搬送プロセスに対して、同様のタイミングで二次転写部まで送られて来る画像の形成プロセスについて説明する。
【００２４】
電子写真方式による画像形成部９９は、主に像担持体と、これに作用するプロセス手段から構成されている。ここでは、画像形成部９９は、イエロー（Ｙ）、マゼンタ（Ｍ）、シアン（Ｃ）、およびブラック（Ｋ）の４セット存在する。勿論、色数は４色に限定されるものではなく、また色の並び順もこの限りではない。
【００２５】
各画像形成部は、像担持体としての感光体１１（１１Ｙ，１１Ｍ，１１Ｃ，１１Ｋ）、プロセス手段としての帯電装置１２（１２Ｙ，１２Ｍ，１２Ｃ，１２Ｋ）、露光装置１３（１３Ｙ，１３Ｍ，１３Ｃ，１３Ｋ）、現像装置１４（１４Ｙ，１４Ｍ，１４Ｃ，１４Ｋ）、一次転写装置３５（３５Ｙ，３５Ｍ，３５Ｃ，３５Ｋ）、および感光体クリーナ１５（１５Ｙ，１５Ｍ，１５Ｃ，１５Ｋ）等から構成される。
【００２６】
予め帯電装置１２により表面を一様に帯電され、回転する感光体１１に対し、送られてきた画像情報の信号に基づいて露光装置１３が駆動され、潜像が形成される。感光体１１上に形成された静電潜像は、現像装置１４によるトナー現像を経て、感光体１１上にトナー像として顕在化する。その後、一次転写装置３５により所定の加圧力および静電的負荷バイアスが与えられ、中間転写ベルト３１上にトナー像が転写される。その後、感光体１１上に僅かに残った転写残トナーは感光体クリーナ１５により回収され、再び次の画像形成に備える。
【００２７】
次に、中間転写ベルト３１について説明。前記中間転写ベルト３１は駆動ローラ３３、テンションローラ３４，３６、および二次転写内ローラ３２等のローラによって張架され、図中矢印Ａ方向へと搬送駆動される。先述のＹ，Ｍ，Ｃ，Ｋの各画像形成部により並列処理される各色の画像形成プロセスは、中間転写ベルト３１上に一次転写された上流色のトナー像上に重ね合わせるタイミングで行われる。その結果、最終的にはフルカラーのトナー像が中間転写ベルト３１上に形成され、二次転写部へと搬送される。
【００２８】
二次転写部において中間転写ベルト３１から記録媒体Ｓ上にフルカラーのトナー像が二次転写され、その後、記録媒体Ｓは定着装置５へと搬送される。定着装置５は、対向するローラもしくはベルト等による所定の加圧力と、一般的にはヒータ等の熱源による加熱効果を加えて記録媒体Ｓ上にトナー像を溶融固着させる。
【００２９】
定着装置５によってトナー像を溶融固着された記録媒体Ｓは、搬送パス１２２を通り搬送ローラ対７４によって搬送され、さらに排出ローラ対７６により搬送され、排出トレイ６５上に積載される。
【００３０】
また、省エネルギーの観点から、電子写真方式による画像形成部９９で画像形成をしている間は、インクジェット方式による画像形成部１００は動作しない構成をとっている。この動作の制御は、後述する制御部（図５に示すコントローラ（ＣＰＵ）９０によって行われる。
【００３１】
＜電子写真方式による両面画像形成プロセス＞
次に図２を用い電子写真方式で記録媒体Ｓに両面画像形成をする場合の説明を行う。
【００３２】
定着装置５によってトナー像を溶融固着された記録媒体Ｓは、搬送パス１２２を通り搬送ローラ対７４によって搬送され、さらに排出ローラ対７６により搬送される。排出ローラ対７６は回転方向を正逆転させることが可能であり、記録媒体Ｓの後端を挟持したタイミングで回転方向を逆転する機能を持っている。
【００３３】
逆転する排出ローラ対７６により反転搬送された記録媒体Ｓは、切替部材１０７により両面搬送経路を構成する搬送パス１３３に搬送される。記録媒体Ｓは搬送ローラ対８４、レジストローラ対８３、搬送ローラ対８２により順次搬送され、両面搬送経路を構成する搬送パス１３２を搬送される。次に搬送ローラ対８２によって搬送される記録媒体Ｓは、切替部材１０８により両面搬送経路を構成する搬送パス１１１に案内され、レジストローラ対７３に到る。その後の画像形成プロセスは前述したので割愛する。
【００３４】
そして、両面にトナー像を溶融固着された記録媒体Ｓは、搬送パス１２２を通り搬送ローラ対７４によって搬送され、さらに排出ローラ対７６により搬送され、排出トレイ６５上に積載される。
【００３５】
＜インクジェット方式による画像の作像プロセス＞
次に図３を用いてインクジェット方式による画像形成部１００の説明をする。前記切替部材１０５によって第二の画像形成部１００に向けて案内された記録媒体Ｓは、第二の搬送経路である搬送パス１３１を通過して、搬送ローラ対８２によって搬送パス１３２に送られレジストローラ対８３へと搬送される。
【００３６】
前記搬送ローラ対８２は前述した電子写真方式の両面画像形成プロセスにおいては正転することで、図で示すところの下方向に記録媒体Ｓを搬送した。搬送ローラ対８２は、回転方向を正逆に切り替えることが可能であり、インクジェット方式による画像形成プロセスで画像形成する場合は逆転して図で示すところの上方向に記録媒体Ｓを搬送できる。
【００３７】
次にレジストローラ対８３は搬送ローラ対８２から搬送されてくる記録媒体Ｓを突き当ててループを作成することにより、記録媒体Ｓの先端を倣わせ斜行を修正する機能を持っている。また、記録媒体Ｓへの画像形成のタイミング、即ち、インクジェット方式の画像形成部のインク吐出タイミングに合わせて、記録媒体Ｓをインクジェット方式の画像形成部１００へ搬送する機能を有している。
【００３８】
前述のようにインクジェット方式による画像形成を行う際はレジストローラ対８３が正逆転の切り替えが可能であることは言うまでもない。
【００３９】
記録媒体Ｓはインクジェット方式による画像形成部１００により画像情報に応じてインクが吐出されて画像が形成される。画像形成部１００の記録部は、例えばイエロー（Ｙ）、マゼンタ（Ｍ）、シアン（Ｃ）、およびブラック（Ｋ）の各記録ヘッド１０１Ｙ，１０２Ｍ，１０３Ｃ，１０４Ｋを有する。
【００４０】
図１に示すように、各々の記録ヘッド１０１Ｙ，１０２Ｍ，１０３Ｃ，１０４Ｋは、記録媒体の搬送方向と直交する方向の長さ分（幅分）のノズル列を持ったインクジェット方式のラインヘッドである。
【００４１】
これら４本の記録ヘッド１０１Ｙ，１０２Ｍ，１０３Ｃ，１０４Ｋからそれぞれイエロー（Ｙ）、マゼンタ（Ｍ）、シアン（Ｃ）、およびブラック（Ｋ）のインクを選択的に吐出し、記録媒体Ｓに対しカラー画像を記録する。
【００４２】
吐出するインクは、不図示のインクカートリッジから、不図示のポンプ、チューブによってそれぞれ対応する記録ヘッド１０１Ｙ，１０２Ｍ，１０３Ｃ，１０４Ｋに供給される。勿論、色数は４色に限定されるものではなく、また色の並び順もこの限りではない。
【００４３】
前記インクジェット方式によってインクを吐出された記録媒体Ｓは、逆転した搬送ローラ対８４によって搬送パス１３３に搬送される。搬送された記録媒体Ｓは、排出ローラ７６により搬送され、排出トレイ６５上に積載される。
【００４４】
前述したように、本実施形態では、インクジェット方式による画像のみを形成する場合に、記録媒体を、電子写真方式の第一の画像形成部９９を通過させずに、第二の画像形成部１００を設けた両面搬送経路１３３，１３２，１１１へ送る。そのため、インクジェット方式による画像のみを形成する場合に、電子写真方式の第一の画像形成部９９を記録媒体が通過することによる、記録媒体の劣化及び電子写真方式の第一の画像形成部９９の劣化を防止することができる。
【００４５】
また、画像が形成された記録媒体を再び第一の画像形成部９９に搬送するための両面搬送経路１３３，１３２の間に第二の画像形成部１００を設けたため、画像形成部９９，１００を直列させる構成に比べて、装置の小型化を実現することができる。
【００４６】
また、省エネルギーの観点から、インクジェット方式による画像形成部１００で画像形成をしている間は、電子写真方式による画像形成部９９は動作しない構成をとっている。この動作の制御は、後述する制御部（図５に示すコントローラ（ＣＰＵ）９０によって行われる。
【００４７】
＜電子写真方式とインクジェット方式に関するプロセス＞
ここで、両面画像形成を含めた電子写真方式とインクジェット方式の使い分けに関して説明する。
【００４８】
画像形成装置には、図５に示すように、装置全体の動作を制御する制御部としてのコントローラ９０が配置されている。コントローラ９０は、記録媒体収納庫６１，６２に収納されている記録媒体Ｓが、電子写真方式による画像形成部９９に適合するのか、インクジェット方式による画像形成部１００に適合するのか、電子写真方式による画像形成部９９及びインクジェット方式による画像形成部１００のどちらにも適合するのかを、あらかじめ記録されている。
【００４９】
例えば電子写真方式による画像形成が適合する紙種としては、普通紙や６４ｇ以下の薄紙やＯＨＰが挙げられる。またインクジェット方式による画像形成が適合する紙種としては、インクジェットコート紙やエンボス紙や封筒等があり、紙サイズとしてはＡ４以下の紙サイズであるＡ４やＢ５やＬＧＬやＳＴＭＴといった小サイズ紙が挙げられる。
【００５０】
記録媒体Ｓおよび画像データに応じて画像形成部を選択して画像形成を行うフローチャート図を図４、ブロック図を図５に示す。
【００５１】
画像形成装置に対して、例えば外部装置からプリント信号、及び画像データが入力され、不図示の操作部からユーザが設定した記録媒体の種類に関する情報が入力されたときのコントローラ９０の動作を以下に説明する。
【００５２】
なお、記録媒体の種類に関する情報は、記録媒体収納庫６１，６２などに配置された記録媒体の種類を自動で判別するセンサから入力されるようにしてもよい。
【００５３】
外部装置からのプリント信号が片面画像であれば（Ｓ１１）、電子写真方式による画像形成部９９とインクジェット方式による画像形成部１００から適合する画像形成部を選択する。
【００５４】
適合する画像形成部が電子写真方式であれば画像データを送り、電子写真方式による画像形成部９９で画像形成を行う（Ｓ１３）。一方、適合する画像形成部がインクジェット方式であれば画像データを送り、切替部材１０５が動作して（Ｓ１５）両面搬送経路の各ローラ対が逆転を始め（Ｓ１６）、インクジェット方式による画像形成部１００で画像形成を行う（Ｓ１７）。
【００５５】
次に両面画像である場合は、電子写真方式による画像形成部９９で画像形成を行う（Ｓ１３）。その後、切替部材１０７が動作して（Ｓ１９）再び電子写真方式による画像形成部２２で２面目の画像形成を行う（Ｓ２０）。
【００５６】
このように、コントローラ９０は、外部装置からのプリント信号や画像データなどの情報に基づいて、第一の画像形成部９９、第二の画像形成部１００、切替部材１０５，１０７などの動作を制御する。
【００５７】
上述したように、本実施形態によれば、インクジェット方式による画像のみを形成する場合に、記録媒体を、電子写真方式の第一の画像形成部９９を通過させずに、第二の画像形成部１００を設けた両面搬送経路１３３，１３２，１１１へ送る。そのため、インクジェット方式による画像のみを形成する場合に、電子写真方式の第一の画像形成部９９を記録媒体が通過することはない。これにより、電子写真方式の第一の画像形成部９９を記録媒体が通過することによる、記録媒体の劣化及び電子写真方式の第一の画像形成部９９の劣化を防止することができる。
【００５８】
また、画像が形成された記録媒体を再び第一の画像形成部９９に搬送するための両面搬送経路１３３，１３２の間に第二の画像形成部１００を設けたため、画像形成部９９，１００を直列させる構成に比べて、装置の小型化を実現することができる。
【００５９】
〔他の実施形態〕
前述した実施形態では、電子写真方式、インクジェット方式ともに、色の異なる画像形成部（記録部）を４つ使用しているが、この使用個数、配置順などは限定されるものではなく、必要に応じて適宜設定すれば良い。
【００６０】
また前述した実施形態では、コントローラが、記録媒体の種類やサイズに応じて、使用する画像形成部を選択する構成を例示したが、本発明はこれに限定されるものでもない。例えば、使用する画像形成部を、操作部（不図示）あるいはパーソナルコンピュータなどの外部装置（不図示）からの情報によりユーザが適宜選択する構成としても良い。また、記録媒体の種類（紙種）やサイズなども前述した実施形態に例示されたものに限定されるものではない。
【００６１】
また前述した実施形態では、画像形成装置としてプリンタを例示したが、本発明はこれに限定されるものではない。例えば複写機、ファクシミリ装置等の他の画像形成装置や、或いはこれらの機能を組み合わせた複合機等の他の画像形成装置であっても良い。また、中間転写体を使用し、該中間転写体に各色のトナー像を順次重ねて転写し、該中間転写体に担持されたトナー像を記録媒体に一括して転写する画像形成装置に限定されるものでもない。例えば、記録媒体担持体を使用し、該記録媒体担持体に担持された記録媒体に各色のトナー像を順次重ねて転写する画像形成装置であっても良い。これらの画像形成装置に本発明を適用することにより同様の効果を得ることができる。
【符号の説明】
【００６２】
Ｓ    …記録媒体
５    …定着装置
１１  …感光体
３１  …中間転写ベルト
３２  …二次転写内ローラ
３３  …駆動ローラ
３４，３６ …テンションローラ
４１  …二次転写外ローラ
７１，７２ …給送手段
７３  …レジストローラ対
７４  …搬送ローラ対
７６  …排出ローラ対
８２，８４ …搬送ローラ対
８３  …レジストローラ対
９０  …コントローラ
９９，１００ …画像形成部
１０１Ｙ，１０２Ｍ，１０３Ｃ，１０４Ｋ …記録ヘッド
１０５，１０７，１０８ …切替部材
１０６，１１１，１２１，１２２，１３１，１３２，１３３ …搬送パス
【図１】
2012203162.tif 000003
【図２】
2012203162.tif 000004
【図３】
2012203162.tif 000005
【図４】
2012203162.tif 000006
【図５】
2012203162.tif 000007